(57)【要約】      （修正有）【課題】従来、付箋を使用するとき、のりが常に効かなくなり、付箋紙が離脱したり、付箋紙の隅部が浮き上がったりするという問題を解消することができる付箋用磁気トレイを提供する。【解決手段】磁力が作用する平面上でスライド及び立ち上がり可能であり詰め替えられた付箋紙の離脱を防止する付箋用磁気トレイであって、磁気トレイにおいて、磁気トレイの底部に設けられる磁石片６と、底部の孔に配置される小さな磁石５とを含む。本考案は、付箋と磁気トレイを一体的に、磁力が作用する平面上でスライドして移動させたり、取り外したり、傾斜して浮き上がらせて固定することで、特定の付箋紙を選択することができる。磁気トレイと付箋を一体的に使用すると、立体的なリストに並べることができ、従来の付箋を使用する場合よりも整然としており、手触りが良い。【選択図】図１Ｂ
0003217522.tif 000002
【実用新案登録請求の範囲】
【請求項１】
磁力が作用する平面上でスライド及び立ち上がり可能であり詰め替えられた付箋紙の離脱を防止する付箋用磁気トレイであって、磁気トレイを含む前記磁気トレイにおいて、磁気トレイの底部に設けられる磁石片と、底部の孔に配置される小さな磁石とを含むことを特徴とする付箋用磁気トレイ。
【請求項２】
前記磁気トレイの底部に設けられる磁石片が、前記磁気トレイの底部の孔に配置される小さな磁石からわずかな距離を開けるように設置されることを特徴とする請求項１に記載の磁力が作用する平面上でスライド及び立ち上がり可能であり詰め替えられた付箋紙の離脱を防止する付箋用磁気トレイ。
【請求項３】
前記磁気トレイの上下両側の額縁にツバ部が設けられることを特徴とする請求項１に記載の磁力が作用する平面上でスライド及び立ち上がり可能であり詰め替えられた付箋紙の離脱を防止する付箋用磁気トレイ。
【請求項４】
前記磁気トレイの底部に設けられる磁石片の面積は、前記磁気トレイの底部の面積とほぼ同じであることを特徴とする請求項１に記載の磁力が作用する平面上でスライド及び立ち上がり可能であり詰め替えられた付箋紙の離脱を防止する付箋用磁気トレイ。
【請求項５】
前記磁気トレイの左側から突出した額縁部分は、前記磁気トレイの上下両側の額縁より広いことを特徴とする請求項１に記載の磁力が作用する平面上でスライド及び立ち上がり可能であり詰め替えられた付箋紙の離脱を防止する付箋用磁気トレイ。
【請求項６】
前記磁気トレイの上下両側の額縁は、磁石片及び付箋の上下両側を包むことを特徴とする請求項１に記載の磁力が作用する平面上でスライド及び立ち上がり可能であり詰め替えられた付箋紙の離脱を防止する付箋用磁気トレイ。
【請求項７】
前記磁気トレイの上下両側の額縁の磁石片を包む部分が勾配をもって設置されることを特徴とする請求項１に記載の磁力が作用する平面上でスライド及び立ち上がり可能であり詰め替えられた付箋紙の離脱を防止する付箋用磁気トレイ。
【請求項８】
前記磁気トレイの右側は、額縁を設けることなく開放することを特徴とする請求項１に記載の磁力が作用する平面上でスライド及び立ち上がり可能であり詰め替えられた付箋紙の離脱を防止する付箋用磁気トレイ。
【請求項９】
付箋を磁気トレイに詰めて一体的に使用するという使用方法は、付箋に限らないことを特徴とする請求項１に記載の磁力が作用する平面上でスライド及び立ち上がり可能であり詰め替えられた付箋紙の離脱を防止する付箋用磁気トレイ。
【考案の詳細な説明】
【技術分野】
【０００１】
本考案は、文房具に関し、詳しく言えば、付箋の従来の使用方法を変える付箋トレイに関するものである。
【背景技術】
【０００２】
携帯電話が普及している今でも、メモ書きを一時的に記録する付箋（以下、付箋紙の集まりの場合は付箋、１枚だけの場合は付箋紙と言う）は、スペースをあまり占めず、携帯しやすいという利点で、仕事、勉強などに幅広く利用されている。過去数十年間、教育業界でもオフィス用品業界でも、付箋の質やその機能に対するニーズは変わり続けている。一方、従来の付箋は、その一側の縁部にのりがつくため、空気の中で長時間晒されると、付箋紙の隅部が浮き上がったり、のりが効かなくなったりして付箋紙が落ちることで、付箋が崩れたり、浪費が生じたりするなど使用中に支障が出ているだけでなく、手触りが良くない。これに鑑み、近年、静電気付箋が開発されて販売されるようになったが、付箋紙の隅部の浮き上がりの問題は解消されたものの、付箋紙が落ちやすく、手触りが良くないという問題が解消されていないのが現状である。
【考案の概要】
【考案が解決しようとする課題】
【０００３】
本考案は、付箋の従来の使用方法を変える付箋トレイを提供することを目的とし、付箋をこのような付箋トレイと共に使用すると、空気の中で長時間晒されるため、付箋紙の隅部が浮き上がったり、のりが効かなくなったりして付箋紙が落ちることが生じにくくなるだけでなく、付箋を並べるときは、より整然としており、美しく見え、手触りが良い。本考案は、手触りの良さを向上するために、付箋を磁気トレイと共に使用すると同時に、磁力が作用する平面（例えば、ホワイトボード）上でスライドしたり、傾斜して立ち上がらせたり付箋紙の離脱を防止させたりできるようにする。付箋紙を使い切ると、新しい付箋を詰め替えるだけで、磁気トレイを再度使用できる。
【課題を解決するための手段】
【０００４】
磁力が作用する平面上でスライド及び立ち上がり可能であり詰め替えられた付箋紙の離脱を防止する付箋用磁気トレイであって、磁気トレイを含み、前記磁気トレイが、底部に設けられる磁石片と、底部の孔に配置される小さな磁石とを含み、前記磁気トレイの上下両側の額縁にツバ部が設けられ、前記磁気トレイの上下両側の額縁の磁石片を包む部分が勾配をもって設置されることを特徴とする。
【考案の効果】
【０００５】
磁気トレイに付箋紙を押さえて磁気トレイに固定するためのツバ部を設けることで、付箋紙が落ちにくくなる。前記磁気トレイの底部に設けられる磁石片及び底部の孔に配置される小さな磁石により、付箋を磁気トレイと共に磁力が作用する平面（例えば、ホワイトボード）に磁着することができ、これにより、磁力が作用する平面上でスライドしたり、付箋と磁気トレイを取り外したり、傾斜して立ち上がらせて固定することで、特定の付箋紙を選択することができる。さらに、磁気トレイと付箋を一体的に使用すると、立体的なリストにして並べることができ、従来の付箋を使用する場合よりも整然としており、手触りが良い。
【図面の簡単な説明】
【０００６】
【図１Ａ】本考案の実施例による、磁力が作用する平面上でスライド及び立ち上がり可能であり詰め替えられた付箋紙の離脱を防止する付箋用磁気トレイの上面図である。
【図１Ｂ】本考案の実施例による、磁力が作用する平面上でスライド及び立ち上がり可能であり詰め替えられた付箋紙の離脱を防止する付箋用磁気トレイの底部の上面図である。
【図１Ｃ】本考案の実施例による、磁力が作用する平面上でスライド及び立ち上がり可能であり詰め替えられた付箋紙の離脱を防止する付箋用磁気トレイの左縁の側面図である。
【図１Ｄ】本考案の実施例による、磁力が作用する平面上でスライド及び立ち上がり可能であり詰め替えられた付箋紙の離脱を防止する付箋用磁気トレイの下縁の側面図である。
【図１Ｅ】本考案の実施例による、磁力が作用する平面上でスライド及び立ち上がり可能であり詰め替えられた付箋紙の離脱を防止する付箋用磁気トレイの立体図である。
【図２】本考案の実施例による、磁力が作用する平面上でスライド及び立ち上がり可能であり詰め替えられた付箋紙の離脱を防止する付箋用磁気トレイを手で押して立ち上がらせることを示す概略図である。
【考案を実施するための形態】
【実施例１】
【０００７】
以下、図１Ａ、図１Ｂ、図１Ｃ、図１Ｄ、図１Ｅ及び図２に示す実施例を参照しながら、本考案が関連課題を解決するために用いる技術的解決手段として、磁力が作用する平面上でスライド及び立ち上がり可能であり詰め替えられた付箋紙の離脱を防止する付箋用磁気トレイについて詳しく説明する。
【０００８】
本考案は、付箋の従来の使用方法を変える付箋トレイに関するものである。従来から、付箋の表の付箋紙にメモを書き、それを剥がして所定の平面に貼り付け、又は、付箋から表の１枚を剥がしてメモを書き、それを所定の平面に貼り付けるように使用している。本考案は、付箋を磁気トレイに詰めて、それと共に使用するという技術的解決手段を利用することで、付箋紙が落ちやすく、手触りが良くなく、整然としておらず、移動や特定の付箋紙の選択ができないなどの問題を解消しようとする。
【０００９】
磁気トレイの表面４とほぼ同じサイズの付箋を磁気トレイの表面４に配置し、前記付箋の厚みは、磁気トレイの表面４から、左側から突出した額縁部分２の上部までの距離を超えてはならず、そして前記付箋がツバ部１によって押えられることを確保する。付箋紙にのりがつき、付箋がツバ部１によって押えられるため、付箋紙の離脱を防止することができる。このように設置したら、磁気トレイに詰められた付箋紙にメモを書き、そして磁力が作用する表面（例えば、ホワイトボード）に磁着することができる。表の付箋紙を使い終わったら、それを剥がすと下の付箋紙を使用できる。このように繰り返していけば、全ての付箋紙を使用することができる（図１Ａ参照）。
【００１０】
付箋紙を使い切ると、新しい付箋を磁気トレイの表面４に詰め替えれば、磁気トレイを再度使用することができる（図１Ａ参照）。
【００１１】
額縁が設けられない右側の開放部分３により、表の付箋紙を剥がしやすくする（図１Ａ参照）。
【００１２】
磁気トレイが長方形に設計されるため、リストにして並べるとき、複数の磁気トレイを密封して整然と並べることができ、磁力が作用する平面（例えば、ホワイトボード）上ではあまりスペースを占めない（図１Ａ参照）。
【００１３】
磁気トレイの底部に設けられる磁石片６及び孔に配置される小さな磁石５により、付箋を磁気トレイと共に磁力が作用する表面（例えば、ホワイトボード）に確実に固定したり、また、磁力が作用する表面（例えば、ホワイトボード）上でスライドして移動させたりすることができる（図１Ｂ参照）。
【００１４】
磁気トレイの底部の磁石片６のサイズを、孔に配置される小さな磁石５から一定のスペースを開けるように設定し、且つ上下両側の額縁の磁石片を包む部分７を、勾配をもって設置する。これにより、付箋と磁気トレイが、磁力が作用する平面（例えば、ホワイトボード）に平らに配置されるとき、使用者は左側から突出した額縁部分２を手で押せば、付箋と磁気トレイを傾斜して立ち上がらせて、磁力が作用する平面（例えば、ホワイトボード）に固定することで、特定の付箋紙を選択できるとともに、スペースを節約し、使用者が付箋と磁気トレイを容易に取り外すことができる。傾斜して立ち上がることは、特に、複数の磁気トレイを密封して並べる場合に有利である（図１Ａ、図１Ｂ、図１Ｃ、図１Ｄ及び図２を参照）。
【００１５】
上記の内容は、本考案の好ましい実施例に過ぎず、本考案の実施範囲を限定するためのものではない。本考案の実用新案登録請求の範囲に準じてなされた同等の変更及び修飾などは、いずれも本考案の実用新案登録請求の範囲に含まれるものとする。
【符号の説明】
【００１６】
１：ツバ部
２：左側から突出した額縁部分
３：額縁が設けられない右側の開放部分
４：磁気トレイの表面
５：孔に配置される小さな磁石
６：磁石片
７：勾配をもって設置される上下両側の額縁の磁石片を包む部分
【図１Ａ】
0003217522.tif 000003
【図１Ｂ】
0003217522.tif 000004
【図１Ｃ】
0003217522.tif 000005
【図１Ｄ】
0003217522.tif 000006
【図１Ｅ】
0003217522.tif 000007
【図２】
0003217522.tif 000008
【手続補正書】
【提出日】平成30年5月24日(2018.5.24)
【手続補正１】
【補正対象書類名】実用新案登録請求の範囲
【補正対象項目名】請求項１
【補正方法】変更
【補正の内容】
【請求項１】
磁力が作用する平面上でスライド及び立ち上がり可能であり詰め替えられた付箋紙の離脱を防止する付箋用磁気トレイであって、前記磁気トレイにおいて、磁気トレイの底部に設けられる磁石片と、底部の孔に配置される小さな磁石とを含むことを特徴とする付箋用磁気トレイ。